(57)【要約】  一態様において、本発明は、液体薬剤の用量を投与するための注射デバイスであって：−  投薬端（２０）を有し、液体薬剤が充填されたカートリッジ（１）を収容するように構成された、細長いハウジング（１２）と、−  投薬端（２０）を介してカートリッジ（１）から薬剤の用量を排出するためにカートリッジ（１）に動作可能に係合するように構成された、駆動機構（５）と、−  投薬端（２０）を覆うようにハウジング（１２）に解放可能に取り付け可能な保護キャップ（３０）と、−  保護キャップ（３０）に取り付けられ、保護キャップ（３０）上に配置された少なくとも第１のキャップ電極（３２、３３、３４）に電気的に接続された、第１の電子回路（４０）と、−  ハウジング（１２）内に配置され、駆動機構（５）に連結され、ハウジング（１２）上に配置された少なくとも第１のハウジング電極（６２、６３、６４）に電気的に接続された、第２の電子回路（６０）とを含み、−  ここで、第１および第２の電子回路（４０、６０）は、保護キャップ（３０）がハウジング（１２）に取り付けられると互いに接触する少なくとも第１のキャップ電極（３２、３３、３４）および少なくとも第１のハウジング電極（６２、６３、６４）を介して、互いに電気的に接続される、注射デバイスに関する。
2020501657.tif 000002
【特許請求の範囲】
【請求項１】
液体薬剤の用量を投与するための注射デバイスであって：
投薬端（２０）を有し、液体薬剤が充填されたカートリッジ（１）を収容するように構成された、細長いハウジング（１２）と、
投薬端（２０）を介してカートリッジ（１）から薬剤の用量を排出するためにカートリッジ（１）に動作可能に係合するように構成された、駆動機構（５）と、
投薬端（２０）を覆うようにハウジング（１２）に解放可能に取り付け可能な保護キャップ（３０）と、
該保護キャップ（３０）に取り付けられ、保護キャップ（３０）上に配置された少なくとも第１のキャップ電極（３２、３３、３４）に電気的に接続された、第１の電子回路（４０）と、
ハウジング（１２）内に配置され、駆動機構（５）に連結され、ハウジング（１２）上に配置された少なくとも第１のハウジング電極（６２、６３、６４）に電気的に接続された、第２の電子回路（６０）と
を含み、
ここで、第１および第２の電子回路（４０、６０）は、保護キャップ（３０）がハウジング（１２）に取り付けられると互いに接触する少なくとも第１のキャップ電極（３２、３３、３４）および少なくとも第１のハウジング電極（６２、６３、６４）を介して、互いに電気的に接続される、
前記注射デバイス。
【請求項２】
第１の電子回路（４０）は、第１の電池（４１）と、第２の電子回路（６０）から受けた電気信号を処理する第１の論理回路（４４）とを含む、請求項１に記載の注射デバイス。
【請求項３】
第２の電子回路（６０）は、駆動機構（５）からの用量投薬関連データを取り込み、取り込んだデータを少なくとも第１のキャップ電極（３２、３３、３４）および少なくとも第１のハウジング電極（６２、６３、６４）を介して第１の論理回路（４４）に伝送する、第２の論理回路（７０）を含む、請求項２に記載の注射デバイス。
【請求項４】
第２の論理回路（７０）は、保護キャップ（３０）がハウジング（１２）に取り付けられると第１の電池（４１）によって電力供給される、請求項３に記載の注射デバイス。
【請求項５】
第２の電子回路（６０）は、保護キャップ（３０）がハウジング（１２）に取り付けられると第１の電池（４１）によって充電可能な、再充電可能な第２の電池（６８）を含む、請求項４に記載の注射デバイス。
【請求項６】
駆動機構は：
ａ）可変サイズの薬剤の用量を設定するための用量セレクタ（１３）であって、所定のステップごとに音を立ててハウジング（１２）に対して可動である、用量セレクタ（１３）、および、
ｂ）薬剤投薬手順をトリガするまたは制御するために音を立ててハウジングに対して可動である用量ボタン（１４）
のうちの少なくとも１つを含む、請求項１〜５のいずれか１項に記載の注射デバイス。
【請求項７】
第１の電子回路（４０）は、用量セレクタの動きの連続する用量増分ステップもしくは用量減分ステップを検出するための、および／または用量ボタン（１４）の動きを検出するための、マイクロホン（３６）を含む、請求項６に記載の注射デバイス。
【請求項８】
第２の電子回路（６０）は、少なくとも１つのハウジング電極（６２、６３、６４）に接続され駆動機構（５）に接続された少なくとも１つの接点スイッチ（７６）を含む、請求項６または７に記載の注射デバイス。
【請求項９】
駆動機構（５）は、ハウジング（１２）内に回転可能に支持された数字スリーブ（９０）を含み、該数字スリーブ（９０）は：
外面（９５）上の用量サイズ標示数字（９６）のパターン（９７）と、
該パターン（９７）に従って外面（９５）上に延びる電気抵抗体ストリップ（１１２）と
を含む、請求項１〜８のいずれか１項に記載の注射デバイス。
【請求項１０】
第２の電子回路（６０）は、電気抵抗体ストリップ（１１２）に接触している少なくとも第１の接点電極（１０１）を含む、請求項９に記載の注射デバイス。
【請求項１１】
電気抵抗体ストリップ（１１２）は、数字スリーブ（９０）の外面（９５）に螺旋状に巻き付き、電気抵抗体ストリップ（１１２）の一方の長手方向端は、第１の環状タブ（１１１）に接続されており、抵抗体ストリップ（１１２）の他方の長手方向端は、数字スリーブ（９０）の外面（９５）の第２の環状タブ（１１３）に接続されている、請求項９または１０に記載の注射デバイス。
【請求項１２】
第２の電子回路（６０）は、第１の環状タブ（１１１）に接触している第２の接点電極（１０２）をさらに含み、第２の環状タブ（１１３）に接触している第３の接点電極（１０３）をさらに含む、請求項１１に記載の注射デバイス。
【請求項１３】
第１の接点電極（１０１）は、ゲージ窓（１７）を有し数字スリーブ（９０）の少なくとも一部分を覆うゲージ要素（１６）に取り付けられ、ゲージ要素（１６）は、数字スリーブ（９０）にねじ係合され、ゲージ要素（１６）は、ハウジング（１２）に対して回転不能にロックされ、ゲージ要素（１６）は、ハウジングの長手方向伸長部に沿って摺動可能である、請求項１０〜１２のいずれか１項に記載の注射デバイス。
【請求項１４】
第１の論理回路（４４）および第２の論理回路（７０）のうちの少なくとも一方は、第１の電気抵抗率（Ｒ１）と総電気抵抗率（Ｒ２）の比を計算するように構成され、第１の電気抵抗率（Ｒ１）は、第１の接点電極（１０１）と第２または第３の接点電極（１０２、１０３）のうちの一方との間で測定可能であり、総電気抵抗率（Ｒ２）は、第２の接点電極（１０２）と第３の接点電極（１０３）との間で測定可能である、請求項２〜１３のいずれか１項に記載の注射デバイス。
【請求項１５】
ハウジング（１２）内に配置され液体薬剤が充填されたカートリッジをさらに含む、請求項１〜１４のいずれか１項に記載の注射デバイス。
【発明の詳細な説明】
【技術分野】
【０００１】
本発明は、注射デバイスの分野に関し、詳細には、手持ち式ペン型注射器のような手動操作の注射デバイスに関する。一態様において、本発明は、注射デバイスによって実際に設定または投薬される薬剤の用量の電子測定を提供する。
【背景技術】
【０００２】
液体薬剤の単回または複数回用量を設定し投薬する薬物送達デバイスは、当業界において良く知られている。一般に、そのようなデバイスは、通常のシリンジのものとほぼ同様の目的を有する。
【０００３】
ペン型注射器のような薬物送達デバイスは、いくつかの使用者特有の要件を満たさなければならない。たとえば、患者が糖尿病などの慢性疾患を患っている場合、患者は身体的に虚弱なことがあり、さらに視覚に障害があることもある。したがって、在宅薬物治療を特に意図した適切な薬物送達デバイスは、構造が堅牢である必要があり、使いやすいものであるべきである。さらに、デバイスおよびその構成要素の操作および一般的な取り扱いは、分かりやすく簡単に理解できるものであるべきである。そのような注射デバイスは、可変サイズの薬剤の用量の設定およびその後の投薬をもたらすべきである。さらに、用量設定ならびに用量投薬手順は、操作が簡単でなければならず、明白なものである必要がある。
【０００４】
一般に、そのようなデバイスは、投薬される薬剤が少なくとも部分的に充填されたカートリッジを受けるように適用されたハウジングまたは特定のカートリッジホルダを含む。そのようなデバイスは、通常、カートリッジのピストンに動作可能に係合するように適用された変位可能なピストンロッドを有する駆動機構をさらに含む。駆動機構およびそのピストンロッドによって、カートリッジのピストンは、遠位方向すなわち投薬方向に変位可能であり、したがって、薬物送達デバイスのハウジングの遠位端部に解放可能に連結される穿孔アセンブリを介して、所定量の薬剤を排出することができる。
【０００５】
薬物送達デバイスによって投薬される薬剤は、一般に、複数回用量カートリッジ内に提供され収容される。そのようなカートリッジは、一般に、穿孔可能な封止部によって遠位方向に封止されさらにピストンによって近位方向に封止される、ガラスバレルを含む。再使用可能薬物送達デバイスでは、空のカートリッジを新しいものと取り替えることができる。それとは対照的に、使い捨てタイプの薬物送達デバイスは、カートリッジ内の薬剤を投薬したら、または使い切ったら全体が廃棄されることになる。
【０００６】
そのようなペン型注射デバイスをごく頻繁に使用する場合、投薬関連データの自動的なログ記録または取り込みを提供することが望ましい。一般に、薬剤投薬または薬剤注射の時間および日付、ならびに投薬または注射された薬剤量を記録し監視することが望ましい。電子制御ロジックに接続された電気機械駆動装置によって駆動される注射デバイスが存在する。そのようなデバイスは、かなり高価であり壊れやすい。特許文献１に記載されるような他の解決策もある。そこでは、手動操作可能なペン型注射デバイスについての電子クリップオンモジュールについて述べられている。電子クリップオンモジュールは、本体と、注射デバイスにその外面に対して特定の位置にモジュールを解放可能に取り付けるように構成された嵌合ユニットとを有する。
【０００７】
そのような電子クリップオンモジュールは、用量サイズならびに投薬手順の日付および時間を監視しログ記録することができる。そのようなクリップオンモジュールの現在の使用には、注射デバイスに対する明確な取り付けが必要であり、それは、最終使用者の取り扱いスキルを考えると、彼らに対してある程度の要求を課すものである。この問題は、さらに、視覚に障害のあるまたは手の震えに悩む使用者または患者を苛立たせる。その他、クリップオンモジュールは、手持ち式の携帯可能な注射デバイスの外観を変えることになる。したがって、最終使用者は、特に注射デバイスを携帯するとき、付加モジュールを注射デバイスに恒久的に取り付けたままにすることをあまり好まなかったり躊躇することがある。
【０００８】
ペン型注射デバイスのなかには、駆動機構のリセット機能を提供し、さらに、空のカートリッジが取り替えられるように構成された、いわゆる再使用可能デバイスもある。それに対して、いわゆる使い捨てまたは充填済み注射デバイスは、それらの駆動機構のリセット機能がなく、カートリッジの内容物、たとえば薬剤を使い切ったら全体を廃棄することが意図されそのように構成される。そのような使い捨て注射デバイスは、かなり取り扱いやすく、最小限の取り扱いスキルまたは訓練をすでに受けた最終使用者および患者が操作することができる。カートリッジを取り替える必要がなく、デバイスは限定された時間期間のみの使用が意図されるので、それらは、適度なコストで大量生産することができる。一般に、使い捨て注射デバイスは、全機械式の注射デバイスとして実施される。一般に、コスト削減の理由だけにより、それらのハウジング内には電子構成部品または電気機械駆動装置がない。
【先行技術文献】
【特許文献】
【０００９】
【特許文献１】ＷＯ２０１３／１２０７７５Ａ１
【発明の概要】
【発明が解決しようとする課題】
【００１０】
従来技術を考慮して、本発明の目的は、投薬関連データのログ記録および監視を提供する、液体薬剤の用量を投与するための改善された手動または機械操作の手持ち式注射デバイスを提供することである。注射デバイスおよびデータのログ記録または投薬監視は、最終顧客または患者に非常に魅力的であるべきである。データのログ記録または投薬監視機能は、最終使用者または患者によるさらなる介入なしに、注射デバイス内に実装されるべきである。それは、信頼性が高くなければならず、最終使用者または患者によって大いに許容可能でなければならない。注射デバイスの製造は、費用効果がかなり高くなければならない。加えて、注射デバイスの幾何学的サイズおよび／または外観は、データのログ記録または投薬監視機能の実装によって影響を受けてはならない。
【課題を解決するための手段】
【００１１】
一態様において、液体薬剤の用量を投与するための注射デバイスが提供される。注射デバイスは、投薬端を有し、液体薬剤が充填されたカートリッジを収容するように構成された、細長いハウジングを含む。細長いハウジングは、実質的に円筒形または楕円形の形状をしている。注射デバイスは、ペン型注射器として構成される。注射デバイスは、ハウジング内に配置され投薬端を介してカートリッジから薬剤の用量を排出するためにカートリッジに動作可能に係合するように構成された、駆動機構を含む。投薬端は、典型的には、両頭注射針を有するニードルアセンブリに解放可能に連結可能である。注射針は、投薬端に取り付けられると、カートリッジの内部と流体連通する。典型的には、駆動機構は、少なくとも、軸方向すなわちハウジングの伸長部に対して実質的に平行または管状形状カートリッジの長軸に対して平行に駆動され変位させられるように構成されたピストンロッドを含む。
【００１２】
注射デバイスは、投薬端を覆うおよび／または囲むようにハウジングに解放可能に取り付け可能な保護キャップをさらに含む。保護キャップは、ハウジングに対して、ハウジングの投薬端か、たとえば実質的に駆動機構を収納し収容するハウジングのボディ部分であるハウジングの近位部分かのどちらかに取り外し可能に連結可能である。保護キャップは、閉じた遠位端と、その近位端の方に向いた開口部とを含む、実質的に円筒形の形状であってよい。ハウジングに取り付けられると、注射デバイスの投薬端は、保護キャップに受け入れられ収容される。
【００１３】
注射デバイスは、保護キャップに取り付けられた第１の電子回路をさらに含む。保護キャップ上には、さらに、第１のキャップ電極が設けられる。第１のキャップ電極は、第１の電子回路に電気的に接続されている。注射デバイスのハウジング内には、第２の電子回路が配置されている。第２の電子回路は、駆動機構に結合（ｃｏｕｐｌｅ）または接続されている。第２の電子回路は、やはりまた、注射デバイスのハウジング上に配置された少なくとも第１のハウジング電極に電気的に接続されている。第１および第２の電子回路は、少なくとも第１のキャップ電極および少なくとも第１のハウジング電極を介して互いに電気的に接続される。保護キャップ、第１のキャップ電極の位置、ハウジングの、具体的にはその投薬端の幾何学的形状、ならびに少なくとも第１のハウジング電極の位置および場所は、少なくとも第１のハウジング電極および少なくとも第１のキャップ電極が、保護キャップがハウジングの投薬端に取り付けられたときに電気的に接触するように選択され構成される。
【００１４】
典型的には、ハウジングおよび保護キャップは、ポジティブ係合する（ｐｏｓｉｔｉｖｅｌｙ  ｅｎｇａｇｉｎｇ）突起または凹部など、相互に係合する締結要素を含み、それによって保護キャップはハウジングに明確に取り付けられ固定される。
【００１５】
第１の電子回路を保護キャップにまたはその内部に設け第２の電子回路を注射デバイスのハウジング内に設けることによって、一種のハイブリッドの注射デバイスが提供される。具体的には、第１の電子回路は一種の主電子回路のように機能および挙動し、一方、第２の電子回路は補助電子回路として構成される。第２の電子回路はかなり制限された機能性を含むのに対し、第１の電子回路は、主な機能性およびハードウェア、ならびにデータのログ記録および／または投薬監視を実施するのに必要なソフトウェア構成要素（ｓｏｆｔｗａｒｅ  ｃｏｍｐｏｎｅｎｔ）を提供することができる。
【００１６】
このように、第２の電子回路は、送受信器がなくそれ自体にエネルギー供給源のない、一種の縮小された電子回路である。第２の電子回路は、具体的には、カートリッジの内容物を使い切った後に注射デバイスのハウジングとともに廃棄することができる使い捨て電子回路として構成され設計される。その反対に、第１の電子回路は、かなり高性能な多機能電子回路である。したがって、第１の電子回路が設けられたキャップは、カートリッジと駆動機構を装備した一連のハウジングとともに再使用することができる再使用可能キャップとして構成され設計される。このように、第１の電子回路を含む保護キャップは、データのログ記録または投薬監視の実施に必要とされる、最も高額かつ高性能な電子構成部品を含む。
【００１７】
保護キャップおよびその第１の電子回路は、再使用すなわちいくつものハウジングおよび第２の電子回路とともに使用されることが意図されるので、保護キャップは、たとえばハウジングと保護キャップとを含むスターターキットで一度だけ購入すればよい。カートリッジの内容物を使い切った後、保護キャップを保有しつつハウジングを新しいものに取り替える。このように、使い捨てデバイスのデータのログ記録および投薬監視についてのさらに優れた費用効果の高い省スペースの解決策が提供される。さらに、異なるハウジングとともにキャップを使用するとき、同時に、データのログ記録および投薬監視も多数の注射デバイスで実施することができる。
【００１８】
第１の電子回路は典型的にはキャップ内に配置され第２の電子回路はハウジング内に配置されるので、これらの電子回路は外部から見えない。既存の注射デバイスの幾何形状でのデータのログ記録および投薬監視機能の実施は、かなり円滑になり得る。この実施態様は、外部からほとんど見ることができない。データのログ記録および／または投薬監視の実施は、注射デバイスの外観、または使用者によるそのような注射デバイスの受け入れに悪影響を及ぼさない。
【００１９】
別の実施形態によれば、第１の電子回路は、第１の電池と、電力供給源と、第２の電子回路から受けた電気信号を処理するための第１の論理回路とを含む。いくつかの実施形態では、第２の論理回路、したがってハウジング全体には、それ自体の電池またはそれ自体のエネルギー供給源がなくてよい。第２の電子回路のためのエネルギー供給は、第１の電子回路の第１の電池によって独占的にもたらされる。しかし、第２の電子回路が少なくとも再充電可能であってよい小電池を含む、他の実施形態もある。
【００２０】
第１の電池と第１の論理回路とを含む第１の電子回路の場合、一般に、第２の電子回路に論理回路ならびにそれ自体の電池がないことが可能である。このように、第２の電子回路の製造コストを最低限に抑えることができ、それによって、注射デバイスの使い捨てハウジングのコストを適度なレベルまたは最低レベルに抑えることが可能になる。
【００２１】
別の実施形態によれば、第２の電子回路はまた、駆動機構からの用量投薬関連データを取り込み、取り込んだデータを少なくとも第１のキャップ電極および少なくとも第１のハウジング電極を介して第１の論理回路に伝送するための第２の論理回路を含む。第２の論理回路は、第１の電子回路の縮小バージョンであってよい。第２の論理回路の機能性は、第１の電子回路の機能性に比べてかなり制限される。
【００２２】
具体的には、第１の電子回路だけが、取り込んだデータまたは監視した投薬情報を、パーソナルコンピュータ、タブレットコンピュータ、スマートフォン、または網羅的なデータ分析を提供する同様のものなどの分析ツールに伝送する無線または有線の送受信器である、送受信器を備えることが意図される。
【００２３】
別の実施形態では、一般に、保護キャップにいくつかのキャップ電極を設け、ハウジングにもいくつかのハウジング電極を設けることが考えられる。たとえば、２つまたは３つのキャップ電極を設けることができ、各キャップ電極は、保護キャップがハウジングに正しく組み付けられると、ハウジング電極の１つに電気的に接触するように構成される。キャップ電極およびハウジング電極のいくつかは、第２の電子回路および／または第２の論理回路のためのエネルギー供給をもたらすことができ、一方、他のキャップ電極またはハウジング電極は、第１の電子回路と第２の電子回路との間、したがってその第１の論理回路と第２の論理回路との間のデータ伝送をもたらすことができる。２つのハウジング電極と接触する２つのキャップ電極が設けられることも考えられ、そこにおいて、キャップ電極およびハウジング電極は、第２の電子回路、および場合により第２の論理回路のための電力供給、ならびに第１の電子回路と第２の電子回路との間のデータ伝送または信号伝送の両方をもたらす。
【００２４】
別の実施形態では、第２の論理回路は、保護キャップがハウジングに取り付けられると、第１の電池によって電力供給される。この実施形態の場合、典型的には、第１のハウジング電極および第２のハウジング電極と接触する第１のキャップ電極および第２のキャップ電極が設けられる。キャップ電極は、第１の電池、したがって第１の電子回路と電気的に接触しており、一方、第１および第２のハウジング電極は、第２の電子回路、したがって第２の論理回路と電気的に接触している。いくつかの実施形態では、第２の論理回路は、第１の電子回路の第１の電池によって、すなわち保護キャップがハウジングに正しく組み付けられると、独占的に電力供給されることが考えられる。ハウジングへの保護キャップの取り付けは、第２の論理回路をウェイクアップさせることができる、またはさらに、フラッシュ型メモリのような不揮発性メモリに記憶することができる先に取り込まれた信号またはデータの伝送など、論理回路の所定の機能を生じさせることができる。
【００２５】
さらなる一実施形態では、第２の電子回路は、再充電可能な第２の電池を含む。第２の電池は、保護キャップがハウジングに取り付けられると、第１の電池によって充電可能または再充電可能である。第２の電池は、かなり制限された容量の電池として構成され設計される。第２の電池の容量は、単回または数回用量の投薬手順の監視または取り込みを行えるほどの大きさであればよい。第２の電池は、コンデンサ（ｃｏｎｄｅｎｓａｔｏｒ）、または一式の電荷蓄積コンデンサを含むことができる。さらに、再充電可能な第２の電池は、１０分、２０分、３０分、１時間以上などの比較的限られた時間間隔にわたって第２の論理回路に電力供給するのに十分な容量を含むことが考えられる。典型的には、第２の電池の容量は、第２の電子回路が、９０分未満、６０分未満または３０分未満の限られた時間にわたって動作可能なほどの大きさにされる。
【００２６】
保護キャップがハウジングから取り外されると、第２の再充電可能な電池は、用量投薬関連の信号、データおよび情報を監視し取り込むために、第２の電子回路の単独動作をもたらすことができる。キャップがハウジングに再び取り付けられたとき、第２の電子回路と第１の電池との間の電気的な接触が再確立され、第２の電子回路によって先にログ記録され取り込まれたデータ、情報または信号が第１の電子回路に有線伝送される。
【００２７】
第２の電池が再充電式であることは、一連の利点を伴う。第一に、第２の電池の幾何学的寸法をかなり小さく抑えることができ、そのような極小の第２の電池の製造および実装の総コストを低くまたは適度に抑えることができる。さらに、内部に配置された第２の電子回路とともにハウジングを廃棄したときの不可避の環境負荷を、最低レベルに抑えることができる。それと同時に、再充電可能な第２の電池は、保護キャップがハウジングから取り外され分離されても、少なくとも、第２の論理回路および第２の電子回路の限られた単独動作時間をもたらす。
【００２８】
別の実施形態では、注射デバイスの駆動機構は：
ａ）可変サイズの薬剤の用量を設定するための用量セレクタであって、所定のステップごとに音を立ててハウジングに対して可動である、用量セレクタ、および、
ｂ）薬剤投薬手順をトリガするまたは制御するために音を立ててハウジングに対して可動である用量ボタン
のうちの少なくとも１つを含む。
【００２９】
用量の選択は、たとえば注射デバイスのハウジングの近位端またはその近くに回転可能に支持された用量セレクタによって行われる。用量設定または用量ダイヤル設定は、実際の設定用量が個々のステップだけ増分または減分されたことを使用者に可聴的かつ／または触覚的に示すクリック音を伴うことができる。典型的にはハウジングの遠位端、したがって投薬端の反対に配置された用量ボタンは、投薬手順をトリガするおよび／または制御するために、典型的には、たとえば使用者の親指によって、遠位方向に押し下げ可能である。典型的には、用量ボタンの時期尚早の解放は、進行中の投薬手順を直ちに中断させることができる。
【００３０】
投薬を目的とした、または用量設定手順の中断を目的としたハウジングに対する用量ボタンの変位は、やはりまた特徴的なノイズまたは音を伴うことができる。用量ボタンの動きとともに発生可能なノイズまたは音は、たとえば用量セレクタのダイヤル設定操作である、ある動きによって生成されるノイズまたはクリック音とは明確に区別することができる。このように、用量設定手順と用量投薬手順を聴覚的に区別することができる。
【００３１】
最も入手しやすい手持ち式の手動操作の注射デバイスは、用量設定の間ならびに用量投薬の間にそれぞれのかなり特徴的なクリックノイズをもたらす。聴覚または触覚のパルスは、第１および第２の電子回路のうちの少なくとも一方によって、またはその第１および第２の論理回路のうちの少なくとも一方によって簡単に記録され取り込まれる。
【００３２】
別の実施形態では、第１の電子回路は、用量セレクタの動きの連続する用量増分ステップもしくは用量減分ステップを検出するための、および／または用量ボタンの可聴運動（ａｕｄｉｂｌｅ  ｍｏｖｅｍｅｎｔ）を検出するための、マイクロホンまたはノイズ検出器を含む。第１の電子回路へのマイクロホンの実装は、保護キャップへのマイクロホンの組み込みを伴う。保護キャップは再使用が意図されているので、注射デバイスの残りの部分、したがってハウジング、駆動機構および駆動機構内に配置されているすべての構成要素には、マイクロホンがないままでよい。したがって、第１の電子回路にマイクロホンを含めることは、用量ダイヤル設定および／または用量投薬手順を聴覚的に取り込み監視するための小コストの代替解決策である。
【００３３】
第１の電子回路は、典型的には、マイクロホンによって記録され取り込まれる連続するクリックノイズを計数するカウンタを備える。このように、用量のサイズを聴覚的に決定することができる。
【００３４】
具体的には、聴覚的サーベイランスは、第１の電子回路と第２の電子回路との間の有線接続を介してトリガされることが考えられる。別の実施形態では、第２の電子回路は、少なくとも１つのハウジング電極に接続され駆動機構に接続された少なくとも１つの接点スイッチを含む。第２の電子回路の少なくとも１つの接点スイッチは、さらに、第２の論理回路に接触していてよい。特定の実施態様に応じて、用量ダイヤル設定または用量投薬は、接点スイッチによって直接検出される。したがって、接点スイッチは、用量セレクタおよび用量ボタンのうちの少なくとも１つに機械的に連結される。用量セレクタのダイヤル設定および／または用量ボタンの押し下げによって、接点スイッチが閉じ、それによってデータのログ記録、または投薬監視のために第１および第２の論理回路のうちの少なくとも一方が起動される。
【００３５】
典型的な実施形態では、少なくとも２つの接点スイッチが設けられ、それによって第２の電子回路および／または第２の論理回路が、用量セレクタの用量増分もしくは用量減分作動、またはそれぞれの動きを区別することができる。
【００３６】
第２の電子回路に少なくとも１つまたは第１および第２の接点スイッチがある場合、第２の電子回路は、第２の論理回路を含まずに構成することができる。より単純で費用効果の高い実施形態では、一般に、第２の電子回路は、本質的に、２つの接点スイッチならびに第１および第２のハウジング電極からなることが考えられる。この場合、用量選択の間に接点スイッチによって生成される電気信号は、ハウジング電極およびキャップ電極を介して有線ベースで第１の電子回路および第１の論理回路に転送される。次いで、データのログ記録または投薬監視機能のための全体の信号およびデータ処理が第１の電子回路およびその第１の論理回路によって独占的に行われ実行される。そのような実施形態では、第２の電子回路には、第２の論理回路がなく、それ自体の第２の電池もなくてよい。
【００３７】
別の実施形態では、注射デバイスの駆動機構は、ハウジング内に回転可能に支持された数字スリーブまたは用量サイズ標示スリーブを含む。数字スリーブは、用量サイズ標示数字のパターンをその外面上に含む。数字スリーブは、そのパターンに従って数字スリーブの外面上に延びる電気抵抗体ストリップをさらに含む。電気抵抗体ストリップは、用量サイズ標示数字に対して軸方向にずれていてよい。あるいは、電気抵抗体ストリップは、用量サイズ標示数字に重なっていてもよい。電気抵抗体ストリップは、用量サイズ標示数字を不明瞭にすることを避けるために、透明な電気抵抗材料を含むことができる。用量サイズ標示数字のパターンは、その全体が、電気抵抗体ストリップから軸方向にずれていてもよい。しかし、パターンおよび電気抵抗体ストリップの全体の形状および幾何形状は、かなり類似または同一とすることができる。
【００３８】
電気抵抗体ストリップによって、たとえば用量設定手順の間および／または用量投薬もしくは用量注射手順の間、数字スリーブの回転度が精確に監視され測定される。電気抵抗体ストリップは、数字スリーブへの実装がかなり簡単であり費用効果が高い。たとえば、電気抵抗体ストリップを単にハウジングの外面上に印刷してもよい。
【００３９】
電気抵抗体ストリップによって、数字スリーブのどちらの方向の回転も検出され、定量的に測定することができる。回転度の定量的または絶対的な測定に加えて、両方向の連続的な回転を簡単に相互比較することもできる。これによって、一方向における回転度が反対方向における回転度と等しいかどうかを測定することができる。これは、一方向に回転し始めたときの電気抵抗率を決定し、その決定した電気抵抗率を、反対方向の回転が終わったときの対応する電気抵抗率と比較することによって行われる。あるいは、一方向における回転の開始と終了における電気抵抗率の差を、反対方向における回転の開始と終了における電気抵抗率の差と比較してもよい。
【００４０】
用量設定の間の回転度の測定は、そのときに設定された用量のサイズを決定することに使用することができる。こうして、用量投薬の間の回転度の測定は、実際に排出または放出された用量を決定することに使用することができる。こうして、両方向における、すなわち用量設定の間および用量投薬の間における回転度の測定は、設定用量が実際に完全にそのときに投薬または放出されているかどうかをチェックすることに使用することができる。
【００４１】
別の実施形態では、第２の電子回路は、電気抵抗体ストリップに接触している少なくとも第１の接点電極を含む。第１の接点電極は、数字スリーブに対して可動である。数字スリーブがハウジング内に軸方向に固定されハウジングに関して回転可能な場合、第１の接点電極がハウジング内においてハウジングの長手方向に沿って摺動可能に支持されれば十分である。このように、第１の接点電極は、用量設定または用量ダイヤル設定の間に電気抵抗体ストリップに追従することができる。第１の接点電極は、実際に設定された用量のサイズを示す抵抗体ストリップの恒久的な電気抵抗率測定を可能にするように、電気抵抗体ストリップに恒久的に電気的に接触していることが意図される。
【００４２】
別の実施形態では、電気抵抗体ストリップは、数字スリーブの外面に螺旋状に巻き付けられる。加えて、抵抗体ストリップの一方の長手方向端は、第１の環状タブに電気的に接続されている。抵抗体ストリップの他方の長手方向端は、第２の環状タブに接続されている。第１および第２の環状タブは、数字スリーブの外面上に配置される。数字スリーブの軸方向または長手方向に見られるように、電気抵抗体ストリップは、第１の環状タブと第２の環状タブとの間に軸方向に挟まれている。
【００４３】
第１および第２の環状タブによって、電気抵抗体ストリップの総電気抵抗率を測定することができる。抵抗体ストリップの電気抵抗率は、周囲温度などの環境の影響を受けることがある。生産および製造コストを適度なレベルに維持するためには、電気抵抗体ストリップに対する技術的要求が低く抑えられれば特に有利となる。
【００４４】
電気抵抗体ストリップの両端部に電気的に接続されている第１および第２の環状タブは、抵抗体ストリップの総電気抵抗率の測定を可能にし、提供する。第１の接点電極によって、電気抵抗体ストリップの一部分または一セクションの電気抵抗率が測定される。
【００４５】
第１の接点電極と組み合わせて第１および第２の環状タブを使用することによって、電気抵抗体ストリップのかなり精確な温度無依存の抵抗率測定が可能になり、それに基づいて、数字スリーブの回転度、したがって実際に設定された用量のサイズを決定することができる。
【００４６】
別の実施形態では、第２の電子回路は、第１の環状タブに接触している第２の接点電極をさらに含む。第２の電子回路は、第２の環状タブに接触している第３の接点電極をさらに含む。第１、第２および第３の接点電極を一緒に有することによって、電気抵抗体ストリップの少なくとも２つの異なる抵抗率測定を行うことが可能になり、それによって、変化する温度のような変化する環境影響に起因することがある任意の測定欠陥を相殺することができるようになる。
【００４７】
さらなる一実施形態では、第１の接点電極は、ゲージ窓を有し数字スリーブの少なくとも一部分を覆うゲージ要素に取り付けられる。ゲージ要素は、数字スリーブにねじ係合され、さらに、ハウジングに対して回転不能にロックされる。典型的には、ゲージ要素は、たとえばハウジングの長手方向伸長部に沿ったゲージ要素の摺動動作を支持し可能にする径方向凹部内に係合される少なくとも１つの径方向突起によって、ハウジングにスプライン連結される。数字スリーブがハウジング内に軸方向に拘束または軸方向に固定されゲージ要素とのねじ係合にある場合、実際、数字スリーブが回転を受けると、ゲージ要素が長手方向または軸方向の摺動動作を受けることになる。
【００４８】
ゲージ要素にある典型的にはアパーチャの形のゲージ窓は、数字スリーブの外面および用量サイズ標示数字のパターンの上を軸方向に摺動する。ゲージ要素のねじ係合のリードに対応するリードを有する用量サイズ標示数字の螺旋状パターンの場合、用量設定手順の間または数字スリーブがそれぞれの回転をその間に受ける後続の用量投薬手順の間に用量が増分または減分されると、連続して増加または減少する螺旋状パターンの数字がゲージ窓に現れる。第１の接点電極がゲージ要素に取り付けられている場合、第１の接点電極は、電気抵抗体ストリップと恒久的に電気的に接触したままとなり得る。したがって、第１の接点電極と、第２または第３の接点電極のうちの一方との間で測定される電気抵抗率は、実際に設定された用量のサイズを直接示している。
【００４９】
別の実施形態によれば、第１の論理回路および第２の論理回路のうちの少なくとも一方は、第１の電気抵抗率と総電気抵抗率の比を計算するように構成される。第１の電気抵抗率は、第１の接点電極と、第２または第３の接点電極のうちの一方との間で測定可能である。総電気抵抗率は、第２の接点電極と第３の接点電極との間、したがって、螺旋状形状の電気抵抗体ストリップの両長手方向端にある第１および第２の環状タブとの接点により測定可能である。変化する周囲温度により起こり得るあらゆるずれの影響を相殺するために、第１の電気抵抗率を総電気抵抗率で除算することが有利である。第１の電気抵抗率を総電気抵抗率で除算した比は、実際に設定された用量サイズを注射デバイスによって注射可能な最大用量サイズで除算した比と同一である。
【００５０】
別の実施形態では、注射デバイスは、ハウジング内に配置され液体薬剤が充填されたカートリッジをさらに備える。注射デバイスは、具体的には、充填済みタイプのものである。したがって、薬剤が充填されたカートリッジは、注射デバイスのハウジング内に容易に組み付けられる。
【００５１】
典型的には、電気抵抗体ストリップは、その伸長部に沿って、ほぼ一様な線形の抵抗率を含む。したがって、電気抵抗体ストリップの一セクションの抵抗率は、常に、前記部分の伸長部または幾何学的延長部に比例する。典型的には、電気抵抗体ストリップの総抵抗率は、電気抵抗体ストリップの長さに直接比例する。
【００５２】
本明細書で使用する用語「薬物」または「薬剤」は、少なくとも１つの薬学的に活性な化合物を含む医薬製剤を意味し、
ここで、一実施形態において、薬学的に活性な化合物は、最大１５００Ｄａまでの分子量を有し、および／または、ペプチド、タンパク質、多糖類、ワクチン、ＤＮＡ、ＲＮＡ、酵素、抗体もしくはそのフラグメント、ホルモンもしくはオリゴヌクレオチド、または上述の薬学的に活性な化合物の混合物であり、
ここで、さらなる実施形態において、薬学的に活性な化合物は、糖尿病、または糖尿病性網膜症などの糖尿病関連の合併症、深部静脈血栓塞栓症または肺血栓塞栓症などの血栓塞栓症、急性冠症候群（ＡＣＳ）、狭心症、心筋梗塞、がん、黄斑変性症、炎症、枯草熱、アテローム性動脈硬化症および／または関節リウマチの処置および／または予防に有用であり、
ここで、さらなる実施形態において、薬学的に活性な化合物は、糖尿病または糖尿病性網膜症などの糖尿病に関連する合併症の処置および／または予防のための少なくとも１つのペプチドを含み、
ここで、さらなる実施形態において、薬学的に活性な化合物は、少なくとも１つのヒトインスリンもしくはヒトインスリン類似体もしくは誘導体、グルカゴン様ペプチド（ＧＬＰ−１）もしくはその類似体もしくは誘導体、またはエキセンジン−３もしくはエキセンジン−４もしくはエキセンジン−３もしくはエキセンジン−４の類似体もしくは誘導体を含む。
【００５３】
インスリン類似体は、たとえば、Ｇｌｙ（Ａ２１），Ａｒｇ（Ｂ３１），Ａｒｇ（Ｂ３２）ヒトインスリン；Ｌｙｓ（Ｂ３），Ｇｌｕ（Ｂ２９）ヒトインスリン；Ｌｙｓ（Ｂ２８），Ｐｒｏ（Ｂ２９）ヒトインスリン；Ａｓｐ（Ｂ２８）ヒトインスリン；Ｂ２８位におけるプロリンがＡｓｐ、Ｌｙｓ、Ｌｅｕ、Ｖａｌ、またはＡｌａで置き換えられており、Ｂ２９位において、ＬｙｓがＰｒｏで置き換えられていてもよいヒトインスリン；Ａｌａ（Ｂ２６）ヒトインスリン；Ｄｅｓ（Ｂ２８−Ｂ３０）ヒトインスリン；Ｄｅｓ（Ｂ２７）ヒトインスリン、およびＤｅｓ（Ｂ３０）ヒトインスリンである。
【００５４】
インスリン誘導体は、たとえば、Ｂ２９−Ｎ−ミリストイル−ｄｅｓ（Ｂ３０）ヒトインスリン；Ｂ２９−Ｎ−パルミトイル−ｄｅｓ（Ｂ３０）ヒトインスリン；Ｂ２９−Ｎ−ミリストイルヒトインスリン；Ｂ２９−Ｎ−パルミトイルヒトインスリン；Ｂ２８−Ｎ−ミリストイルＬｙｓＢ２８ＰｒｏＢ２９ヒトインスリン；Ｂ２８−Ｎ−パルミトイル−ＬｙｓＢ２８ＰｒｏＢ２９ヒトインスリン；Ｂ３０−Ｎ−ミリストイル−ＴｈｒＢ２９ＬｙｓＢ３０ヒトインスリン；Ｂ３０−Ｎ−パルミトイル−ＴｈｒＢ２９ＬｙｓＢ３０ヒトインスリン；Ｂ２９−Ｎ−（Ｎ−パルミトイル−γ−グルタミル）−ｄｅｓ（Ｂ３０）ヒトインスリン；Ｂ２９−Ｎ−（Ｎ−リトコリル−γ−グルタミル）−ｄｅｓ（Ｂ３０）ヒトインスリン；Ｂ２９−Ｎ−（ω−カルボキシヘプタデカノイル）−ｄｅｓ（Ｂ３０）ヒトインスリン、およびＢ２９−Ｎ−（ω−カルボキシヘプタデカノイル）ヒトインスリンである。
【００５５】
エキセンジン−４は、たとえば、Ｈ−Ｈｉｓ−Ｇｌｙ−Ｇｌｕ−Ｇｌｙ−Ｔｈｒ−Ｐｈｅ−Ｔｈｒ−Ｓｅｒ−Ａｓｐ−Ｌｅｕ−Ｓｅｒ−Ｌｙｓ−Ｇｌｎ−Ｍｅｔ−Ｇｌｕ−Ｇｌｕ−Ｇｌｕ−Ａｌａ−Ｖａｌ−Ａｒｇ−Ｌｅｕ−Ｐｈｅ−Ｉｌｅ−Ｇｌｕ−Ｔｒｐ−Ｌｅｕ−Ｌｙｓ−Ａｓｎ−Ｇｌｙ−Ｇｌｙ−Ｐｒｏ−Ｓｅｒ−Ｓｅｒ−Ｇｌｙ−Ａｌａ−Ｐｒｏ−Ｐｒｏ−Ｐｒｏ−Ｓｅｒ−ＮＨ２配列のペプチドであるエキセンジン−４（１−３９）を意味する。
【００５６】
エキセンジン−４誘導体は、たとえば、以下のリストの化合物：
Ｈ−（Ｌｙｓ）４−ｄｅｓＰｒｏ３６，ｄｅｓＰｒｏ３７エキセンジン−４（１−３９）−ＮＨ２、
Ｈ−（Ｌｙｓ）５−ｄｅｓＰｒｏ３６，ｄｅｓＰｒｏ３７エキセンジン−４（１−３９）−ＮＨ２、
ｄｅｓＰｒｏ３６エキセンジン−４（１−３９）、
ｄｅｓＰｒｏ３６［Ａｓｐ２８］エキセンジン−４（１−３９）、
ｄｅｓＰｒｏ３６［ＩｓｏＡｓｐ２８］エキセンジン−４（１−３９）、
ｄｅｓＰｒｏ３６［Ｍｅｔ（Ｏ）１４，Ａｓｐ２８］エキセンジン−４（１−３９）、
ｄｅｓＰｒｏ３６［Ｍｅｔ（Ｏ）１４，ＩｓｏＡｓｐ２８］エキセンジン−（１−３９）、
ｄｅｓＰｒｏ３６［Ｔｒｐ（Ｏ２）２５，Ａｓｐ２８］エキセンジン−４（１−３９）、
ｄｅｓＰｒｏ３６［Ｔｒｐ（Ｏ２）２５，ＩｓｏＡｓｐ２８］エキセンジン−４（１−３９）、
ｄｅｓＰｒｏ３６［Ｍｅｔ（Ｏ）１４，Ｔｒｐ（Ｏ２）２５，Ａｓｐ２８］エキセンジン−４（１−３９）、
ｄｅｓＰｒｏ３６［Ｍｅｔ（Ｏ）１４Ｔｒｐ（Ｏ２）２５，ＩｓｏＡｓｐ２８］エキセンジン−４（１−３９）；または
ｄｅｓＰｒｏ３６［Ａｓｐ２８］エキセンジン−４（１−３９）、
ｄｅｓＰｒｏ３６［ＩｓｏＡｓｐ２８］エキセンジン−４（１−３９）、
ｄｅｓＰｒｏ３６［Ｍｅｔ（Ｏ）１４，Ａｓｐ２８］エキセンジン−４（１−３９）、
ｄｅｓＰｒｏ３６［Ｍｅｔ（Ｏ）１４，ＩｓｏＡｓｐ２８］エキセンジン−（１−３９）、
ｄｅｓＰｒｏ３６［Ｔｒｐ（Ｏ２）２５，Ａｓｐ２８］エキセンジン−４（１−３９）、
ｄｅｓＰｒｏ３６［Ｔｒｐ（Ｏ２）２５，ＩｓｏＡｓｐ２８］エキセンジン−４（１−３９）、
ｄｅｓＰｒｏ３６［Ｍｅｔ（Ｏ）１４，Ｔｒｐ（Ｏ２）２５，Ａｓｐ２８］エキセンジン−４（１−３９）、
ｄｅｓＰｒｏ３６［Ｍｅｔ（Ｏ）１４，Ｔｒｐ（Ｏ２）２５，ＩｓｏＡｓｐ２８］エキセンジン−４（１−３９）、
（ここで、基−Ｌｙｓ６−ＮＨ２が、エキセンジン−４誘導体のＣ−末端に結合していてもよい）；
【００５７】
または、以下の配列のエキセンジン−４誘導体：
ｄｅｓＰｒｏ３６エキセンジン−４（１−３９）−Ｌｙｓ６−ＮＨ２（ＡＶＥ００１０）、
Ｈ−（Ｌｙｓ）６−ｄｅｓＰｒｏ３６［Ａｓｐ２８］エキセンジン−４（１−３９）−Ｌｙｓ６−ＮＨ２、
ｄｅｓＡｓｐ２８Ｐｒｏ３６，Ｐｒｏ３７，Ｐｒｏ３８エキセンジン−４（１−３９）−ＮＨ２、
Ｈ−（Ｌｙｓ）６−ｄｅｓＰｒｏ３６，Ｐｒｏ３８［Ａｓｐ２８］エキセンジン−４（１−３９）−ＮＨ２、
Ｈ−Ａｓｎ−（Ｇｌｕ）５ｄｅｓＰｒｏ３６，Ｐｒｏ３７，Ｐｒｏ３８［Ａｓｐ２８］エキセンジン−４（１−３９）−ＮＨ２、
ｄｅｓＰｒｏ３６，Ｐｒｏ３７，Ｐｒｏ３８［Ａｓｐ２８］エキセンジン−４（１−３９）−（Ｌｙｓ）６−ＮＨ２、
Ｈ−（Ｌｙｓ）６−ｄｅｓＰｒｏ３６，Ｐｒｏ３７，Ｐｒｏ３８［Ａｓｐ２８］エキセンジン−４（１−３９）−（Ｌｙｓ）６−ＮＨ２、
Ｈ−Ａｓｎ−（Ｇｌｕ）５−ｄｅｓＰｒｏ３６，Ｐｒｏ３７，Ｐｒｏ３８［Ａｓｐ２８］エキセンジン−４（１−３９）−（Ｌｙｓ）６−ＮＨ２、
Ｈ−（Ｌｙｓ）６−ｄｅｓＰｒｏ３６［Ｔｒｐ（Ｏ２）２５，Ａｓｐ２８］エキセンジン−４（１−３９）−Ｌｙｓ６−ＮＨ２、
Ｈ−ｄｅｓＡｓｐ２８Ｐｒｏ３６，Ｐｒｏ３７，Ｐｒｏ３８［Ｔｒｐ（Ｏ２）２５］エキセンジン−４（１−３９）−ＮＨ２、
Ｈ−（Ｌｙｓ）６−ｄｅｓＰｒｏ３６，Ｐｒｏ３７，Ｐｒｏ３８［Ｔｒｐ（Ｏ２）２５，Ａｓｐ２８］エキセンジン−４（１−３９）−ＮＨ２、
Ｈ−Ａｓｎ−（Ｇｌｕ）５−ｄｅｓＰｒｏ３６，Ｐｒｏ３７，Ｐｒｏ３８［Ｔｒｐ（Ｏ２）２５，Ａｓｐ２８］エキセンジン−４（１−３９）−ＮＨ２、
ｄｅｓＰｒｏ３６，Ｐｒｏ３７，Ｐｒｏ３８［Ｔｒｐ（Ｏ２）２５，Ａｓｐ２８］エキセンジン−４（１−３９）−（Ｌｙｓ）６−ＮＨ２、
Ｈ−（Ｌｙｓ）６−ｄｅｓＰｒｏ３６，Ｐｒｏ３７，Ｐｒｏ３８［Ｔｒｐ（Ｏ２）２５，Ａｓｐ２８］エキセンジン−４（１−３９）−（Ｌｙｓ）６−ＮＨ２、
Ｈ−Ａｓｎ−（Ｇｌｕ）５−ｄｅｓＰｒｏ３６，Ｐｒｏ３７，Ｐｒｏ３８［Ｔｒｐ（Ｏ２）２５，Ａｓｐ２８］エキセンジン−４（１−３９）−（Ｌｙｓ）６−ＮＨ２、
Ｈ−（Ｌｙｓ）６−ｄｅｓＰｒｏ３６［Ｍｅｔ（Ｏ）１４，Ａｓｐ２８］エキセンジン−４（１−３９）−Ｌｙｓ６−ＮＨ２、
ｄｅｓＭｅｔ（Ｏ）１４，Ａｓｐ２８Ｐｒｏ３６，Ｐｒｏ３７，Ｐｒｏ３８エキセンジン−４（１−３９）−ＮＨ２、
Ｈ−（Ｌｙｓ）６−ｄｅｓＰｒｏ３６，Ｐｒｏ３７，Ｐｒｏ３８［Ｍｅｔ（Ｏ）１４，Ａｓｐ２８］エキセンジン−４（１−３９）−ＮＨ２、
Ｈ−Ａｓｎ−（Ｇｌｕ）５−ｄｅｓＰｒｏ３６，Ｐｒｏ３７，Ｐｒｏ３８［Ｍｅｔ（Ｏ）１４，Ａｓｐ２８］エキセンジン−４（１−３９）−ＮＨ２；
ｄｅｓＰｒｏ３６，Ｐｒｏ３７，Ｐｒｏ３８［Ｍｅｔ（Ｏ）１４，Ａｓｐ２８］エキセンジン−４（１−３９）−（Ｌｙｓ）６−ＮＨ２、
Ｈ−（Ｌｙｓ）６−ｄｅｓＰｒｏ３６，Ｐｒｏ３７，Ｐｒｏ３８［Ｍｅｔ（Ｏ）１４，Ａｓｐ２８］エキセンジン−４（１−３９）−（Ｌｙｓ）６−ＮＨ２、
Ｈ−Ａｓｎ−（Ｇｌｕ）５ｄｅｓＰｒｏ３６，Ｐｒｏ３７，Ｐｒｏ３８［Ｍｅｔ（Ｏ）１４，Ａｓｐ２８］エキセンジン−４（１−３９）−（Ｌｙｓ）６−ＮＨ２、
Ｈ−Ｌｙｓ６−ｄｅｓＰｒｏ３６［Ｍｅｔ（Ｏ）１４，Ｔｒｐ（Ｏ２）２５，Ａｓｐ２８］エキセンジン−４（１−３９）−Ｌｙｓ６−ＮＨ２、
Ｈ−ｄｅｓＡｓｐ２８，Ｐｒｏ３６，Ｐｒｏ３７，Ｐｒｏ３８［Ｍｅｔ（Ｏ）１４，Ｔｒｐ（Ｏ２）２５］エキセンジン−４（１−３９）−ＮＨ２、
Ｈ−（Ｌｙｓ）６−ｄｅｓＰｒｏ３６，Ｐｒｏ３７，Ｐｒｏ３８［Ｍｅｔ（Ｏ）１４，Ａｓｐ２８］エキセンジン−４（１−３９）−ＮＨ２、
Ｈ−Ａｓｎ−（Ｇｌｕ）５−ｄｅｓＰｒｏ３６，Ｐｒｏ３７，Ｐｒｏ３８［Ｍｅｔ（Ｏ）１４，Ｔｒｐ（Ｏ２）２５，Ａｓｐ２８］エキセンジン−４（１−３９）−ＮＨ２、
ｄｅｓＰｒｏ３６，Ｐｒｏ３７，Ｐｒｏ３８［Ｍｅｔ（Ｏ）１４，Ｔｒｐ（Ｏ２）２５，Ａｓｐ２８］エキセンジン−４（１−３９）−（Ｌｙｓ）６−ＮＨ２、
Ｈ−（Ｌｙｓ）６−ｄｅｓＰｒｏ３６，Ｐｒｏ３７，Ｐｒｏ３８［Ｍｅｔ（Ｏ）１４，Ｔｒｐ（Ｏ２）２５，Ａｓｐ２８］エキセンジン−４（Ｓ１−３９）−（Ｌｙｓ）６−ＮＨ２、
Ｈ−Ａｓｎ−（Ｇｌｕ）５−ｄｅｓＰｒｏ３６，Ｐｒｏ３７，Ｐｒｏ３８［Ｍｅｔ（Ｏ）１４，Ｔｒｐ（Ｏ２）２５，Ａｓｐ２８］エキセンジン−４（１−３９）−（Ｌｙｓ）６−ＮＨ２；
または前述のいずれか１つのエキセンジン−４誘導体の薬学的に許容される塩もしくは溶媒和化合物
から選択される。
【００５８】
ホルモンは、たとえば、ゴナドトロピン（フォリトロピン、ルトロピン、コリオンゴナドトロピン、メノトロピン）、ソマトロピン（ソマトロピン）、デスモプレシン、テルリプレシン、ゴナドレリン、トリプトレリン、ロイプロレリン、ブセレリン、ナファレリン、ゴセレリンなどの、Ｒｏｔｅ  Ｌｉｓｔｅ、２００８年版、５０章に列挙されている脳下垂体ホルモンまたは視床下部ホルモンまたは調節性活性ペプチドおよびそれらのアンタゴニストである。
【００５９】
多糖類としては、たとえば、グルコサミノグリカン、ヒアルロン酸、ヘパリン、低分子量ヘパリン、もしくは超低分子量ヘパリン、またはそれらの誘導体、または上述の多糖類の硫酸化形態、たとえば、ポリ硫酸化形態、および／または、薬学的に許容されるそれらの塩がある。ポリ硫酸化低分子量ヘパリンの薬学的に許容される塩の例としては、エノキサパリンナトリウムがある。
【００６０】
抗体は、基本構造を共有する免疫グロブリンとしても知られている球状血漿タンパク質（約１５０ｋＤａ）である。これらは、アミノ酸残基に付加された糖鎖を有するので、糖タンパク質である。各抗体の基本的な機能単位は免疫グロブリン（Ｉｇ）単量体（１つのＩｇ単位のみを含む）であり、分泌型抗体はまた、ＩｇＡなどの２つのＩｇ単位を有する二量体、硬骨魚のＩｇＭのような４つのＩｇ単位を有する四量体、または哺乳動物のＩｇＭのように５つのＩｇ単位を有する五量体でもあり得る。
【００６１】
Ｉｇ単量体は、４つのポリペプチド鎖、すなわち、システイン残基間のジスルフィド結合によって結合された２つの同一の重鎖および２本の同一の軽鎖から構成される「Ｙ」字型の分子である。それぞれの重鎖は約４４０アミノ酸長であり、それぞれの軽鎖は約２２０アミノ酸長である。重鎖および軽鎖はそれぞれ、これらの折り畳み構造を安定化させる鎖内ジスルフィド結合を含む。それぞれの鎖は、Ｉｇドメインと呼ばれる構造ドメインから構成される。これらのドメインは約７０〜１１０個のアミノ酸を含み、そのサイズおよび機能に基づいて異なるカテゴリー（たとえば、可変すなわちＶ、および定常すなわちＣ）に分類される。これらは、２つのβシートが、保存されたシステインと他の荷電アミノ酸との間の相互作用によって一緒に保持される「サンドイッチ」形状を作り出す特徴的な免疫グロブリン折り畳み構造を有する。
【００６２】
α、δ、ε、γおよびμで表される５種類の哺乳類Ｉｇ重鎖が存在する。存在する重鎖の種類により抗体のアイソタイプが定義され、これらの鎖はそれぞれ、ＩｇＡ、ＩｇＤ、ＩｇＥ、ＩｇＧおよびＩｇＭ抗体中に見出される。
【００６３】
異なる重鎖はサイズおよび組成が異なり、αおよびγは約４５０個のアミノ酸を含み、δは約５００個のアミノ酸を含み、μおよびεは約５５０個のアミノ酸を有する。各重鎖は、２つの領域、すなわち定常領域（ＣＨ）と可変領域（ＶＨ）を有する。１つの種において、定常領域は、同じアイソタイプのすべての抗体で本質的に同一であるが、異なるアイソタイプの抗体では異なる。重鎖γ、α、およびδは、３つのタンデム型のＩｇドメインと、可撓性を加えるためのヒンジ領域とから構成される定常領域を有し、重鎖μおよびεは、４つの免疫グロブリン・ドメインから構成される定常領域を有する。重鎖の可変領域は、異なるＢ細胞によって産生された抗体では異なるが、単一Ｂ細胞またはＢ細胞クローンによって産生された抗体すべてについては同じである。各重鎖の可変領域は、約１１０アミノ酸長であり、単一のＩｇドメインから構成される。
【００６４】
哺乳類では、λおよびκで表される２種類の免疫グロブリン軽鎖がある。軽鎖は２つの連続するドメイン、すなわち１つの定常ドメイン（ＣＬ）および１つの可変ドメイン（ＶＬ）を有する。軽鎖のおおよその長さは、２１１〜２１７個のアミノ酸である。各抗体は、常に同一である２本の軽鎖を有し、哺乳類の各抗体につき、軽鎖κまたはλの１つのタイプのみが存在する。
【００６５】
すべての抗体の一般的な構造は非常に類似しているが、所与の抗体の固有の特性は、上記で詳述したように、可変（Ｖ）領域によって決定される。より具体的には、各軽鎖（ＶＬ）について３つおよび重鎖（ＨＶ）に３つの可変ループが、抗原との結合、すなわちその抗原特異性に関与する。これらのループは、相補性決定領域（ＣＤＲ）と呼ばれる。ＶＨドメインおよびＶＬドメインの両方からのＣＤＲが抗原結合部位に寄与するので、最終的な抗原特異性を決定するのは重鎖と軽鎖の組合せであり、どちらか単独ではない。
【００６６】
「抗体フラグメント」は、上記で定義した少なくとも１つの抗原結合フラグメントを含み、そのフラグメントが由来する完全抗体と本質的に同じ機能および特異性を示す。パパインによる限定的なタンパク質消化は、Ｉｇプロトタイプを３つのフラグメントに切断する。１つの完全なＬ鎖および約半分のＨ鎖をそれぞれが含む２つの同一のアミノ末端フラグメントが、抗原結合フラグメント（Ｆａｂ）である。サイズが同等であるが、鎖間ジスルフィド結合を有する両方の重鎖の半分の位置でカルボキシル末端を含む第３のフラグメントは、結晶可能なフラグメント（Ｆｃ）である。Ｆｃは、炭水化物、相補結合部位、およびＦｃＲ結合部位を含む。限定的なペプシン消化により、Ｆａｂ片とＨ−Ｈ鎖間ジスルフィド結合を含むヒンジ領域の両方を含む単一のＦ（ａｂ’）２フラグメントが得られる。Ｆ（ａｂ’）２は、抗原結合に対して二価である。Ｆ（ａｂ’）２のジスルフィド結合は、Ｆａｂ’を得るために切断することができる。さらに、重鎖および軽鎖の可変領域は、縮合して単鎖可変フラグメント（ｓｃＦｖ）を形成することもできる。
【００６７】
薬学的に許容される塩は、たとえば、酸付加塩および塩基性塩である。酸付加塩としては、たとえば、ＨＣｌまたはＨＢｒ塩がある。塩基性塩は、たとえば、アルカリまたはアルカリ土類、たとえば、Ｎａ＋、またはＫ＋、またはＣａ２＋から選択されるカチオン、または、アンモニウムイオンＮ＋（Ｒ１）（Ｒ２）（Ｒ３）（Ｒ４）（式中、Ｒ１〜Ｒ４は互いに独立に：水素、場合により置換されたＣ１〜Ｃ６アルキル基、場合により置換されたＣ２〜Ｃ６アルケニル基、場合により置換されたＣ６〜Ｃ１０アリール基、または場合により置換されたＣ６〜Ｃ１０ヘテロアリール基を意味する）を有する塩である。薬学的に許容される塩のさらなる例は、「Ｒｅｍｉｎｇｔｏｎ’ｓ  Ｐｈａｒｍａｃｅｕｔｉｃａｌ  Ｓｃｉｅｎｃｅｓ」１７版、Ａｌｆｏｎｓｏ  Ｒ．Ｇｅｎｎａｒｏ（編）、Ｍａｒｋ  Ｐｕｂｌｉｓｈｉｎｇ  Ｃｏｍｐａｎｙ、Ｅａｓｔｏｎ、Ｐａ．、Ｕ．Ｓ．Ａ．、１９８５およびＥｎｃｙｃｌｏｐｅｄｉａ  ｏｆ  Ｐｈａｒｍａｃｅｕｔｉｃａｌ  Ｔｅｃｈｎｏｌｏｇｙに記載されている。
【００６８】
薬学的に許容される溶媒和物は、たとえば、水和物である。
【００６９】
さらに、添付の特許請求の範囲において定義されるような本発明の趣旨および範囲から逸脱することなく、本発明に様々な修正および変更を加えることができることが当業者には明らかであろう。さらに、添付の特許請求の範囲で使用されるあらゆる参照数字は、本発明の範囲を限定するものとみなしてはならないことに留意すべきである。
【００７０】
以下において、図面を参照して実施形態を詳細に説明する。
【図面の簡単な説明】
【００７１】
【図１】保護キャップが取り外されている注射デバイスの一実施形態の概略側面図である。
【図２】図１によるデバイスの別の構成の図である。
【図３】注射デバイスの構成要素およびそれらの相互作用の概略図である。
【図４】第１および第２の電子回路を含む保護キャップおよびハウジングのブロック図である。
【図５】数字スリーブの一実施形態の斜視図である。
【図６】ハウジング内に組み付けられ多数の接点電極に電気的に接触している数字スリーブの概略図である。
【発明を実施するための形態】
【００７２】
図１〜図３に例示的に示される注射デバイス１０は、細長い形状のハウジング１２を含む。ハウジング１２の伸長部は、軸方向を画成する。ハウジング１２は、実質的に円筒形または楕円形の形状であってよい。ハウジング１２は、一方の長手方向端に、遠位または投薬端２０を含む。注射デバイス１０は、反対の長手方向端、すなわち近位端２４に、用量セレクタ１３ならびに用量ボタン１４を含む。用量セレクタ１３は、環状形状をしており、可変サイズの薬剤の用量を設定するために時計回りか反時計回りのどちらかにダイヤル設定されるように構成される。実際に設定された用量のサイズは、ゲージ窓１７内に表示される。本明細書に例示される用量標示機構２６は、図５により詳細に示されるように、数字スリーブ９０を含む。
【００７３】
数字スリーブ９０は、管状形状であるように、第１の軸部分９１と第２の軸部分９２とを含む。第１の軸部分９１には、連続した用量サイズ標示数字９６のパターン９７が設けられる。パターン９７は、螺旋形状をしている。螺旋状パターン９７は、５つの回旋になった０から１２０の数字を含む。数字スリーブ９０の第１の部分９１の外面９５は、平坦な円筒形形状をしている。これは、数字９６の螺旋状パターン９７の印刷に適している。遠位端付近には、環状のリムまたは溝９４が設けられ、それによって数字スリーブ９０はハウジング１２に軸方向に固定される。したがって、数字スリーブ９０は、その円筒中心長軸に沿って自由に回転できるだけで、ハウジング１２内を軸方向に動くことはできない。
【００７４】
図１および図２に示されゲージ窓１７を含むゲージ要素１６は、そうでなければハウジング１２の第１の窓１５を通して見えることになる数字スリーブ９０の第１の部分９１の少なくとも一部分を覆う。ゲージ窓１７のサイズは、数字９６のサイズと適合する。ゲージ要素１６は、数字スリーブ９０のねじ山９３にねじ係合される。さらに、ゲージ要素１６は、ハウジング１２にスプライン係合にある。対応する形状の溝に嵌合する少なくとも１対の径方向に延びる凹部によって、ゲージ要素１６は、ハウジング１２に対して回転不能に阻止または回転不能に固定される。ゲージ要素１６は、数字スリーブ９０が回転を受けるとき、ハウジング１２の長手方向延長部に沿った摺動しかすることができない。
【００７５】
典型的には、ねじ山９３のリードは、螺旋状パターン９７のリードと同一である。このように、数字スリーブ９０が用量減分または用量増分回転を受けると、ゲージ要素１６は、純粋な軸方向摺動動作を受ける。数字スリーブ９０の回転とゲージ要素１６の摺動動作の組合せにより、螺旋状パターン９７の連続して増加または減少する数字９６がゲージ窓１７に現れる。ゲージ窓１７はハウジング１２の第１の窓１５の内周内に配置され、ゲージ要素１６はハウジング１２に対する回転ができないようになっているので、ゲージ窓１７は、常に、第１の窓１５の内周内に留まる。
【００７６】
ハウジング１２は、第１の窓１５に対して軸方向にずれている第２の窓２５をさらに含む。実際に用量が設定されていない図１に示されるようなゼロ用量構成では、ゲージ要素１６の第２の部分１９は、第２の窓２５の下に位置する。ゲージ要素１６の第１の部分１８は、ハウジング１２の第１の窓１５の下に位置する。図１から見られるように、ゲージ要素１６のゲージ窓１７は、注射デバイス１０またはその駆動機構５がゼロ用量構成にあるとき、第１の窓１５の遠位端または遠位縁近くに配置される。用量セレクタ１３を回転させることによる用量のダイヤル設定または設定は、数字スリーブ９０の回転を伴い、近位端２４の方に向けたゲージ要素１６の軸方向摺動変位を含む。
【００７７】
用量増加ダイヤル設定の間、ゲージ要素１６全体が、図１に示されるような遠位ゼロ用量構成から図２に示されるような最大用量構成の方に向けて動く。その結果、ゲージ要素１６の第２の部分１９は、第１の窓１５内へと動き、それによってゲージ要素１６は、図２に示されるような最大容量構成に達すると第２の窓２５からはもはや見えなくなる。典型的には、ゲージ要素１６の遠位端が第２の窓２５から近位方向に動くと、背景２８が第２の窓２５内に見えるようになる。背景２８とゲージ要素１６の外観、たとえば色またはテクスチャは、互いに大きくまたは明らかに異なる。実際には、窓２５の軸方向伸長部全体に比べて、第２の窓２５に現れるゲージ要素１６の部分は、実際に設定された用量のサイズを直接示している。
【００７８】
ここでは、本用量標示機構２６は単なる一例であり、添付の特許請求の範囲において定義されるような本発明の概念は、一般に、手持ち式ペン型注射デバイスについて現在知られているあらゆる種類の用量標示機構を用いて実現可能であることに留意すべきである。一般に、数字スリーブ９０は、用量設定の間ならびに用量投薬の間、螺旋状ねじ動作を受けることが考えられる。
【００７９】
ハウジング１２は、単一片とすることができ、または複数構成要素を含んでもよい。ハウジング１２は、遠位端または投薬端２０近くにカートリッジホルダ部分２２を含む。ハウジング１２のこのセクションは、図３に概略的に示されるように、カートリッジ１を収容し保持するように構成される。遠位端または投薬端２０は、カップ形状のニードルハブ８と両頭注射針９とを有するニードルアセンブリ７を受けそれに係合するねじ付ソケット２１をさらに備える。注射針９は、投薬端に螺着されるまたは別のやり方で取り付けられるとき、ハウジング１２内に配置されたカートリッジ１の遠位封止部２を貫通する。カートリッジ１の管状バレルの近位端は、典型的には、ゴムピストン３によって封止される。
【００８０】
図３に示されるように、ハウジング１２のボディ部分２３は、図３に概略的にしか示されない駆動機構５を収容する。駆動機構５は、多数の機械係合構成要素、とりわけ少なくとも、加圧片６をその遠位端に含むピストンロッド４を含む。駆動機構５は、明確な量の薬剤を注射針９を通して排出するようにカートリッジのピストン３を遠位方向に変位させるために、ピストンロッド４を遠位方向、したがってカートリッジ１の方に向けて変位させるように動作可能である。駆動機構５および用量標示機構２６のさらなる詳細は、当業界で一般に知られており、具体的には、参照によって本明細書にその全体を組み入れるＷＯ２０１４／１６６９２６Ａ１から既知である。
【００８１】
ニードルアセンブリ７は、使用していないときは注射デバイス１０から取り外されなければならない。投薬端２０を保護するために、注射デバイス１０は、さらに、図１に概略的に示される保護キャップ３０を装備する。保護キャップ３０は、管状形状のキャップ本体３１を含む。管状形状のキャップ本体３１は、その遠位端の閉端３７と、少なくとも注射デバイス１０のハウジング１２のカートリッジホルダ部分２２を受ける挿入開口部３９を有する反対に位置する近位端３８とを含む。キャップ本体３１は、実質的に円筒形の形状であってよい。キャップ本体３１およびハウジング１２は、互いに対応する相互係合可能な締結要素（図示せず）を含み、それによって保護キャップ３０は、ハウジング１２に、明確な向きおよび位置に締結され保持される。キャップ３０およびハウジング１２は、キャップ３０が、ハウジングに１つだけの所定の向きに取り付けられ締結されるように、少なくとも１つの対称破断機能（ｓｙｍｍｅｔｒｙ  ｂｒｅａｋｉｎｇ  ｆｅａｔｕｒｅ）（図示せず）を含むことができる。
【００８２】
キャップ３０は、少なくとも１つのキャップ電極３２、３３、３４を備え、ハウジング１２は、少なくとも１つのハウジング電極６２、６３、６４を備える。キャップ電極３２、３３、３４は、キャップ本体３１の側壁部分の内側に設けることができ、一方、ハウジング電極６２、６３、６４は、ハウジング１２の外面上に設けられる。キャップ３０が所定のアセンブリ構成でハウジング１２に組み付けられるとき、キャップ電極３２、３３、３４の各々がハウジング電極６２、６３、６４の１つに接触している。キャップ電極３２、３３、３４およびハウジング電極６２、６３、６４により、キャップ３０とハウジング１２との間の電気的な接触が確立される。
【００８３】
キャップ３０は、図４に示されるような第１の電子回路４０をさらに備える。本実施形態では、第１の電子回路４０は、第１の論理回路４４と、典型的には電池の形態のエネルギー供給源４１と、送受信器４２とを備える。さらに、第１の電子回路４０は、論理回路４４に電気的に接続されたインターフェース４６を含む。インターフェース４６は、少なくとも１つのキャップ電極３２、３３、３４を備える。
【００８４】
典型的な実施形態では、第１の論理回路４４は、リアルタイムクロック５０と、メモリ５２と、マイクロコントローラなどのようなプロセッサ５４とを備える。電子回路４０全体は、プリント回路基板上に実装される。少なくとも論理回路４４は、プリント回路基板上に設けられる。送受信器４２は、パーソナルコンピュータ、タブレットコンピュータまたはスマートフォンなどのさらなる分析ツールとの無線または有線通信をもたらすことができる。送受信器４２は、たとえば、Ｂｌｕｅｔｏｏｔｈ  Ｌｏｗ  Ｅｎｅｒｇｙ（ＢＬＥ）送受信器のような、Ｂｌｕｅｔｏｏｔｈ送受信器として構成することができる。あるいは、またはそれに加えて、送受信器は、無線ＬＡＮまたはＷｉ−Ｆｉなどと称される、ＩＥＥＥ８０２．１１のような、他の近距離無線通信規格に従って動作してもよい。加えて、または別法として、送受信器４２は、情報およびデータの聴覚伝達のためのラウドスピーカを含むこともできる。送受信器４２が、いわゆるＩｒＤＡ規格に従って動作する赤外線送受信器であることも考えられる。送受信器は、有線送受信器４２として実施される場合、ユニバーサルシリアルバス（ＵＳＢ）インターフェースのようなソケットまたはプラグを含むことができる。
【００８５】
第１の電子回路４０は、注射デバイス１０のハウジング１２内に実装され配置されている第２の電子回路６０によって伝送されそこから受信された電気信号を取り込み、収集および処理することができる注射デバイス１０の主電子回路として構成される。第２の電子回路６０は、第１の電子回路４０に比べて縮小された補助電子回路として構成され実装される。第２の電子回路６０には、それ自体のエネルギー供給源がなくてよい。それには、電池がなくてよい。第２の電子回路６０には、送受信器もない。第２の電子回路６０には、論理回路がなくてもよい。第２の電子回路６０は、たとえば図６に示されるように、電線と接点電極１０１、１０２、１０３の結合（ｃｏｕｐｌｅ）をもたらす程度に単純であってよい。接点電極１０１、１０２、１０３の各々は、ハウジング電極６２、６３、６４の１つに別々に接続されている。
【００８６】
図４に示される本実施形態では、第２の電子回路６０は、３つのハウジング電極６２、６３、６４を含むインターフェース６６を含む。第２の電子回路６０は、電池６８をさらに含む。電池６８は、典型的には、再充電可能なタイプである。この第２の電池６８の容量が第１の電池４１の容量よりもはるかに小さい場合、特に有利である。第１の電池４１は、インターフェース４６、したがってキャップ電極３２、３３、３４に電気的に接触しており、第２の電池６８は、インターフェース６６、したがってハウジング電極６２、６３、６４に電気的に接触しているので、縮小されたまたは補助電池として実装される第２の電池６８は、第１の電池４１によって再充電することができる。
【００８７】
第２の電子回路６０は、第２の論理回路７０をさらに含む。第２の論理回路７０の機能性、サイズならびに製造コストは、第１の論理回路４４のものよりも低い。場合により、第２の電子回路６０は、センサアセンブリ７２を含む。センサアセンブリ７２は、抵抗体アセンブリ７４および接点スイッチ７６のうちの少なくとも一方を含むことができる。
【００８８】
第２の論理回路７０は、第２のプロセッサ８０、ならびにメモリ８１、線インターフェース８２およびカウンタ８３を含むことができる。さらに、第２の論理回路７０は、アナログデジタル変換器（ＡＤＣ）８４、ならびにＡＤＣの動作のための基準電圧供給源８５を含むことができる。
【００８９】
キャップ３０がハウジング１２に正しく組み付けられると、キャップ電極３２、３３、３４とハウジング電極６２、６３、６４は、相互に電気的に接触する。このように、第１の電子回路４０と第２の電子回路６０も電気的に接触する。３つのキャップ電極３２、３３、３４と、対応するように構成された３つのハウジング電極６２、６３、６４がある本実施形態では、２対の電極、たとえば電極３４、６４および電極３２、６２が、第２の電池６８および／または第２の論理回路７０のための一種の電力供給をもたらすことができる。第３の対の電極、すなわちキャップ電極３３と接触しているハウジング電極６３は、第１の電子回路４０と第２の電子回路６０との間、および／または第１の論理回路４４と第２の論理回路７０との間におけるデータまたは信号の伝送をもたらすことができる。
【００９０】
たとえば、第２の論理回路７０によって測定または事前処理された電気信号は、インターフェース６６、４６を介して第１の論理回路４４に伝送される。そこで、取得された信号または事前処理されたデータは、さらに処理され、他の外部電子装置に対するさらなる伝送のために送受信器４２へと提供される。
【００９１】
リアルタイムクロック５０により提供されるクロック信号が、インターフェース４６、６６を介して第２の論理回路７０に伝送されることも考えられる。第２の論理回路７０はまた、たとえばフラッシュメモリのような不揮発性メモリとして実装される自己メモリ８１を含むので、第２のプロセッサ８０によって事前処理または処理された信号は、メモリ８１に少なくとも一時的に記憶される。第１の電子回路４０から取得したクロック信号を用いて、第２の論理回路７０は、タイムスタンプを、メモリ８１内にローカルに記憶されているデータに割り当てることができる。
【００９２】
第２の論理回路７０は、センサアセンブリ７２に直接接続することができる。さらに単純な実施形態では、センサアセンブリ７２は、駆動機構５の少なくとも１つまたはいくつかの構成要素に係合される、いくつかの、すなわち少なくとも２つの接点スイッチを含む。駆動機構５の特定の実施態様に応じて、接点スイッチ７６は、駆動機構５の実際の状態および構成に応じて開閉する。
【００９３】
実際に設定されたまたは実際に投薬されたおよび注射された用量のサイズを計算するために、接点スイッチを用いて、用量設定中または用量投薬中に生成されるパルスの計数が電気的に追跡され計数される。
【００９４】
センサアセンブリ７２は、概略的に図６により詳細に示される抵抗体アセンブリ７４として構成される。抵抗体アセンブリ７４は、数字スリーブ９０の外面９５上に延びる少なくとも１つの電気抵抗体ストリップ１１２を含む。本実施形態では、本明細書に記載の用量標示機構２６の場合、電気抵抗体ストリップ１１２は、用量サイズ標示数字９６の螺旋状パターン９７に従って数字スリーブ９０の外面上に延びる。電気抵抗体ストリップ１１２は、数字パターン９７と重なってよい。一般に、電気抵抗体ストリップ１１２は、用量サイズ標示数字９６の螺旋状パターン９７の連続する回旋部同士の間に軸方向に延びることが考えられる。
【００９５】
電気抵抗体ストリップ１１２は、数字スリーブ９０の外面９５上にかなり費用効果の高いように印刷することができる。電気抵抗体ストリップ１１２は、必ずしも用量サイズ標示数字９６の螺旋状パターン９７に重ならなくてもよい。電気抵抗体ストリップ１１２は、そこから軸方向に離れていてもよい。
【００９６】
電気抵抗体ストリップ１１２の電気抵抗率は、全長にわたって直線的または比例的な挙動を示す。電気抵抗体ストリップの電気抵抗率の増加は、電気抵抗体ストリップ１１２の全長の増加に直接比例する。図６に示されるように、数字スリーブ９０の少なくとも一部分を囲繞するゲージ要素１６は、電気抵抗体ストリップ１１２に接触するように径方向内側に向いた第１の接点電極１０１を含む。数字スリーブ９０が用量増加回転または用量減少回転を受けると、ゲージ要素１６は、実際に、数字スリーブ９０に沿って動く。螺旋形状の抵抗体ストリップ１１２のリードが数字スリーブ９０とゲージ要素１６との間のねじ係合のリードと同一または実質的に同一であるので、第１の接点電極１０１は、電気抵抗体ストリップ１１２と恒久的に電気的に接触したままになる。
【００９７】
軸方向において、螺旋状抵抗体ストリップ１１２は、第１の環状タブ１１１と第２の環状タブ１１３との間に挟まれている。環状タブ１１１、１１３は、数字スリーブ９０の外周全体を取り囲む。環状タブ１１１、１１３は、さらに、螺旋形状の電気抵抗体ストリップ１１２の両端に電気的に接触している。
【００９８】
２つのさらなる接点電極である、すなわち、第１の環状タブ１１１に接触している第２の接点電極１０２、および第２の環状タブ１１３に恒久的に電気的に接触している第３の接点電極１０３が設けられる。第２および第３の接点電極１０２、１０３は、ハウジング１２に恒久的に固定されている。接点電極１０２、１０３は、それぞれ第１および第２の環状タブ１１１、１１３に接触し続けるように、径方向内側に向いている。
【００９９】
接点電極１０１、１０２、１０３は、第２の論理回路７０に電気的に接触している。第２の論理回路７０、あるいは第１の論理回路４４は、螺旋状抵抗体ストリップ１１２の第１の電気抵抗率Ｒ１と総電気抵抗率Ｒ２の比を計算するように構成され動作することができる。第１および第２の論理回路４４、７０のうちの少なくとも一方は、この特定の比を計算することができる。ここで、第１の電気抵抗率Ｒ１は、たとえば第１の接点電極１０１と第２の接点電極１０２との間で測定可能である。総電気抵抗率は、第２の接点電極１０２と第３の接点電極１０３との間、したがって、第１の環状タブ１１１と第２の環状タブ１１３との間で測定可能である。
【０１００】
第１の電気抵抗率Ｒ１を総電気抵抗率Ｒ２で除算することで、抵抗率測定は、かなり温度偏差（ｄｅｖｉａｔｉｏｎ）に影響されなくなる。温度により引き起こされる電気抵抗率の変化は、第１の電気抵抗率および総電気抵抗率の両方に等しく適用される。したがって、第１の電気抵抗率を総電気抵抗率で除算することで、温度により引き起こされる抵抗率測定の変動またはずれが平準化される。
【０１０１】
上述の注射デバイス１０は、主に、使い捨てデバイスとして、すなわちハウジング１２および内部に配置されたすべての構成要素が使用後またはカートリッジ１の内容物の消費後に廃棄されることが意図されるように構成される。保護キャップ３０は、一連の使い捨てハウジングに連結され係合される再使用可能デバイスとして構成され設計される。
【０１０２】
使用者のシナリオは、いくつか存在する。たとえば、かなり縮小された電子回路６０を含む使い捨てハウジング１２は、保護キャップ３０がハウジング１２に取り付けられている限り保護キャップ３０の第１の電池４１によって充電される補助電池を第２の電池６８として含んでもよい。保護キャップ３０がハウジング１２から取り外されると、第２の電子回路６０、具体的には第２の論理回路７０が３０分間または１時間など、限定された時間期間にわたって動作可能となる。この時間間隔の間、縮小された第２の論理回路７０は、自律的に、用量設定または用量投薬関連の電気信号またはそれぞれのデータを記録または取り込むことができる。ハウジング１２からの保護キャップ３０の連結解除前に、リアルタイムクロック５０によってタイムスタンプが第２の論理回路７０に提供される。このように、論理回路７０は、第２の論理回路７０または第２の電子回路６０内にそれ自体のリアルタイムクロックを実装する必要なくして、ローカルメモリ８１内に用量情報とあわせて時間情報も記憶するように動作可能である。
【０１０３】
保護キャップ３０がハウジング１２に予め組み付けられているとき、ローカルメモリ８１に事前に記憶されているデータは、インターフェース６６、４６を介して第１の論理回路４４に伝送される。そこで、データは、さらに処理され、より大きなメモリ５２に記憶される。要求に応じてまたは決まった時間間隔で、メモリ５２に記憶されているデータが送受信器４２を介して外部電子装置に伝送される。
【０１０４】
抵抗率測定に基づいた数字スリーブ９０の回転の測定は、単なる例示であることに留意されたい。さらに、数字スリーブ９０の回転または回転度は、同様に、静電容量センサまたは磁気センサの助けにより検出することもできる。さらに、図４に示されるように、第１の電子回路４０にマイクロホン３６を設けることができる。マイクロホン３６によって、用量設定および／または用量投薬の間に駆動機構５によって生成される可聴クリックノイズが記録され計数される。
【０１０５】
後続のクリック音または同様のノイズの数を計数することによって、具体的には各クリック音が薬剤の標準単位の明確な間隔を示している場合、それぞれの用量サイズを計算することが可能である。
【符号の説明】
【０１０６】
１  カートリッジ
２  封止部
３  ピストン
４  ピストンロッド
５  駆動機構
６  加圧片
７  ニードルアセンブリ
８  ニードルハブ
９  注射針
１０  注射デバイス
１２  ハウジング
１３  用量セレクタ
１４  用量ボタン
１５  第１の窓
１６  ゲージ要素
１７  ゲージ窓
１８  第１の部分
１９  第２の部分
２０  投薬端
２１  ねじ付ソケット
２２  カートリッジホルダ部分
２３  ボディ部分
２４  近位端
２５  第２の窓
２６  用量標示機構
２８  背景
３０  保護キャップ
３１  キャップ本体
３２  キャップ電極
３３  キャップ電極
３４  キャップ電極
３６  マイクロホン
３７  閉端
３８  開端
３９  開口部
４０  電子回路
４１  電池
４２  送受信器
４４  論理回路
４６  インターフェース
５０  リアルタイムクロック
５２  メモリ
５４  プロセッサ
６０  電子回路
６２  接点電極
６３  接点電極
６４  接点電極
６６  インターフェース
６８  電池
７０  論理回路
７２  センサアセンブリ
７４  抵抗体アセンブリ
７６  接点スイッチ
８０  プロセッサ
８１  メモリ
８２  インターフェース
８３  カウンタ
８４  アナログデジタル変換器
８５  基準電圧供給源
９０  数字スリーブ
９１  第１の部分
９２  第２の部分
９３  ねじ山
９４  溝
９５  外面
９６  数字
９７  パターン
１０１  接点電極
１０２  接点電極
１０３  接点電極
１１１  環状タブ
１１２  抵抗体ストリップ
１１３  環状タブ
【図１】
2020501657.tif 000003
【図２】
2020501657.tif 000004
【図３】
2020501657.tif 000005
【図４】
2020501657.tif 000006
【図５】
2020501657.tif 000007
【図６】
2020501657.tif 000008
【国際調査報告】
2020501657.tif 000009
2020501657.tif 000010